(57)【要約】【課題】電装部品を収容する電装箱と接続する端子台に万一、放火等外因による出火が生じた場合でも、電装箱に延焼するのを防止し、また、端子台のリード線を目的に応じてシンプルに引き廻すことができるなど、作業性を向上させること。【解決手段】制御基板２１より引き出されている端子台リード線１４はコネクタ２７によって端子台２５に接続されているが、電源板２４に貫通穴３１を設けることにより、制御基板２１と端子台２５がコネクタ２７で接続されている状態で電装箱２３から取り外すことが可能となり、貫通穴３１の周囲にフランジング加工を施すとリード線１４の損傷を防止することができるため、作業性が向上し、サービス性の向上も兼ね備えた空気調和機となる。【選択図】図１
2006145082.tif 000002
【特許請求の範囲】
【請求項１】
電装部品を収容する電装箱と接続する端子台を戴置する金属製の電源板に、前記端子台を覆うように筒状に壁面部を設け、前記電源板の側壁面に前記端子台を通すことができる貫通穴を設けることを特徴とする空気調和機。
【請求項２】
貫通穴より前記電源板の上端面までの寸法Ａは、３ｍｍ以上設けることを特徴とする請求項１に記載の空気調和機。
【請求項３】
貫通穴より前記電源板の側端面までの寸法Ｂは、３ｍｍ以上設けることを特徴とする請求項１または２に記載の空気調和機。
【発明の詳細な説明】
【技術分野】
【０００１】
本発明は、電装箱を内蔵した空気調和機に関するものである。
【背景技術】
【０００２】
従来の空気調和機の室外ユニットの構成では、略矩形の筐体内部に設けられ冷凍サイクルを制御する機能を有する制御基板などの電装部品の引き廻しにおいて、電源部と冷凍サイクル部の間に上下仕切板を設けて、圧縮機や電源回路の一部部品へ接続する配線を仕切板上に複数配設したコネクタで中継させ、端子台を配設できる発明が開示されている（例えば、特許文献１参照）。
【特許文献１】特開２００３−１０６５７０号公報
【発明の開示】
【発明が解決しようとする課題】
【０００３】
しかしながら、上記従来の構成では、仕切板より上側は電装収納部になっていて、万一、放火等外因による出火が生じた場合、端子台と電装収納部は同一の空間であるので、端子台から電装部品に延焼し損傷するおそれがあるという課題を有していた。
【０００４】
また、機器のメンテナンス性の面でも、上下仕切板を用いた構成ではリード線の脱着作業に時間を要するとともに、リード線の引き回し状態などがサービスを行う者にとってわかりにくい状態になっていた。
【０００５】
本発明は、上記従来の課題を解決するもので、燃焼対策を施しサービス性を向上させた空気調和機の提供を目的とする。
【課題を解決するための手段】
【０００６】
前記従来の課題を解決するために、本発明の空気調和機は、電装部品を収容する電装箱と接続する端子台を戴置する金属製の電源板に、端子台を覆うように筒状に壁面部を設け、電源板の側壁面に端子台を通すことができる貫通穴を設けることを特徴とする。
【０００７】
これによって、万一、放火等外因による出火が生じた場合でも端子台を覆うように設けた筒状の金属製の壁面部によって火炎部が他部品に延焼するのを防止することができる。
【０００８】
また、端子台を接続したまま電装箱と電源板が締結している状態で着脱ができるため、端子台のリード線を目的に応じてシンプルに引き廻すなどサービス性の向上が実現できる。
【発明の効果】
【０００９】
本発明の空気調和機は、万一、放火等外因による出火が生じた場合でも延焼するのを防止することができると共に、また、端子台のリード線を目的に応じてシンプルに引き廻すことが実現できるなど、作業性を向上させることができ、サービス性が向上できる。
【発明を実施するための最良の形態】
【００１０】
第１の発明は、電装部品を収容する電装箱と接続する端子台を戴置する金属製の電源板に、端子台を覆うように筒状に壁面部を設け、電源板の側壁面に端子台を通すことができる貫通穴を設けるものである。よって、万一、放火等外因による出火が生じた場合でも端子台を覆うように設けた筒状の金属製の壁面部によって火炎部が他部品に延焼するのを防止することができ、またサービスなどの際に電装箱を本体から取り外す際に、端子台にコ
ネクタを接続したまま電装箱と電源板が締結している状態で取り出すことができ、燃焼対策を施しサービス性を向上できる。
【００１１】
第２の発明は、貫通穴より電源板の上端面までの寸法Ａは、３ｍｍ以上設けるものである。よって、電源板の端面からのスペースを設けて強度を上げることにより、電装箱が落下した場合に電源板の変形を防止することができる。
【００１２】
第３の発明は、貫通穴より電源板の右側端面までの寸法Ｂは、３ｍｍ以上設けるものである。よって、電源板の端面からのスペースを設けて強度を上げることにより、電装箱が落下した場合、電源板の変形を防止することができる。
【００１３】
以下、本発明の実施の形態について図面を参照しながら説明する。尚、この実施の形態によって本発明が限定されるものではない。
【００１４】
（実施の形態１）
最初に、図２を用いて空気調和機の構成について説明する。図２において空気調和機は、室外ユニット筐体の側面に金属製の側板２、基板１上に熱交換器８、圧縮機７等を配設し、更に熱交換器８と圧縮機７との空間に仕切板６を配設し、仕切板６の上方に電装箱２３を載置している。また、電装箱２３の下面側に配置され、端子台２５を覆う金属製の電源板２４は、電装箱２３に固定されている。
【００１５】
次に、図１、図３〜図６を用いて電装箱および電源板の構成について、図面を参照にしながら説明する。
【００１６】
同図において電装箱２３は、電装部品を収容する制御基板２１をねじ３０ａで固定し、端子台２５をねじ３０ｂで固定した金属製の電源板２４をねじ３０ｃで固定している。また、制御基板２１への水や粉塵の浸入を防止するために電源蓋２６を設けている。
【００１７】
また、制御基板２１より引き出されている端子台リード線１４は、コネクタ２７によって端子台２５に接続されている。
【００１８】
金属製の電源板２４に、端子台２５を覆うように筒状に壁面部２８を設けることで、万一、放火等外因による出火が生じた場合でも端子台２５を覆うように設けた筒状の金属製の壁面部２８によって火炎部が電装箱２３など他部品に延焼するのを防止することができる。
【００１９】
また、電装箱２３の下面に配置され、端子台２５を覆う金属製の電源板２４の側壁面２８ａに端子台２５を通すことができる貫通穴３１を設けると、図１に示すように電装箱２３から電源板２４を外すことなく制御基板２１を端子台２５のコネクタ２７が接続されたままで着脱が可能となるので、作業性が向上する。
【００２０】
尚、貫通穴３１より電源板２４の上端面までの寸法Ａは３ｍｍ以上であって、貫通穴３１より電源板２４の右側端面２９までの寸法Ｂも３ｍｍ以上とすることにより、貫通穴３１の周囲にフランジング加工を容易に施すことができる。また、スペースを広くできることが可能になり強度を上げることができる。
【００２１】
また、電源板２４の貫通穴３１から電源板２４の右側端面２９より３ｍｍ以上設けることにより、フランジング加工を容易に施すことができる。また、スペースを広くすることにより強度を上げることができる。
【００２２】
ここで貫通穴３１の周囲にフランジングを設けることによって、端子台リード線１４が損傷することなく電源板２４にシンプルに引き回して固定することが可能となる。
【００２３】
更に、図６に示すように、リード線を挟み込むための溝３３を電装箱２３の右側面に設けて端子台リード線１４を引き回しすることにより、万一、放火等外因による出火が生じた場合、端子台２５から端子台リード線１４に燃え移った時に電装箱２３を難燃性の材質にすると、溝３３内で端子台リード線１４を挟んでいるので、延焼を阻止することができ、制御基板２１への侵入を防止することが可能となる。
【００２４】
上記の構成において、制御基板２１より引き出されている端子台リード線１４はコネクタ２７によって端子台２５に接続されているが、電源板２４に貫通穴３１を設けることにより、制御基板２１と端子台２５がコネクタ２７で接続されている状態で電装箱２３から取り外すことが可能となり、貫通穴３１の周囲にフランジング加工を施すとリード線１４の損傷を防止することができるため、作業性が向上し、サービス性の向上も兼ね備えた空気調和機となる。
【産業上の利用可能性】
【００２５】
本発明は、空気調和機など、電装箱を内蔵した機器に適用できる。
【図面の簡単な説明】
【００２６】
【図１】本発明の実施の形態１における空気調和機の制御基板を取り外しの斜視図
【図２】本発明の実施の形態１における空気調和機の斜視構成模式図
【図３】本発明の実施の形態１における空気調和機の電源板の側面図
【図４】本発明の実施の形態１における空気調和機の要部説明図で、電装箱に電装板・電源蓋及び端子台を取付の斜視図
【図５】本発明の実施の形態１を示すもので、空気調和機の電装箱に電源板及び端子台を取付の斜視図
【図６】本発明の実施の形態１における空気調和機の端子台周辺の詳細図
【図７】本発明の実施の形態１における空気調和機の電源板のＣ−Ｃ断面図
【符号の説明】
【００２７】
１  基板
２  側板
３  天板
６  仕切板
７  圧縮機
８  熱交換器
９  配管カバー
１０  電源板カバー
１４  端子台リード線
２０  エッジ
２１  制御基板
２２  電装部品
２３  電装箱
２４  電源板
２５  端子台
２６  電源蓋
２７  コネクタ
２８  筒状の壁面部
２８ａ  側壁面
２８ｂ  上壁面
２９  右側端面
３０ａ  制御基板取付ねじ
３０ｂ  端子台取付ねじ
３０ｃ  電源板取付ねじ
３１  貫通穴
３２  フランジング
３３  溝
【図１】
2006145082.tif 000003
【図２】
2006145082.tif 000004
【図３】
2006145082.tif 000005
【図４】
2006145082.tif 000006
【図５】
2006145082.tif 000007
【図６】
2006145082.tif 000008
【図７】
2006145082.tif 000009